(57)【特許請求の範囲】
【請求項１】
ロール状媒体を繰り出して排出口から排出するロール状媒体取扱装置において、
前記排出口のロール状媒体の湾曲の内側と対向する側で、前記排出口から突出して形成されたガイド部材を設け、該ガイド部材は、排出口から排出されたロール状媒体の先端部の近傍まで形成され、排出口から排出されたロール状媒体の先端部の湾曲を阻止し、先端部の湾曲を阻止されたロール状媒体が前記ガイド部材上から抜き取られることを特徴とするロール状媒体取扱装置。
【請求項２】
前記ロール状媒体取扱装置は、カードを排出するカード排出部を有し、
前記ガイド部材の先端部は前記カード排出部に排出されたカードの先端部に近接する請求項１記載のロール状媒体取扱装置。
【請求項３】
前記ガイド部材は装置内に収納可能に備えられ、ガイド部材を排出口から突出する方向または装置内に収納する方向に移動する移動機構と、ロール状媒体の位置を検出する検出手段と、検出手段の検出結果により移動機構を駆動する駆動制御部とを設けた請求項１記載のロール状媒体取扱装置。
【発明の詳細な説明】
【０００１】
【発明の属する技術分野】
本発明は、ロール状媒体を扱うロール状媒体取扱装置に関する。
【０００２】
【従来の技術】
一般に、ロール状媒体を扱うロール状媒体取扱装置においては、ロール状媒体を繰り出し、所定の長さに切断して排出口から排出している。
【０００３】
【発明が解決しようとする課題】
従来のロール状媒体取扱装置にあっては、ロール状媒体は装置内でロール状に収納されているのでカール癖が付けられている。従って、ロール状媒体を所定の長さに切断した後排出口から排出すると必然的にカール（湾曲）してしまい、この結果、装置利用者が排出されたロール状媒体を抜き取る際、取りずらいという問題が発生していた。
【０００４】
【課題を解決するための手段】
前記課題を解決するために、本発明で講じた解決手段は、ロール状媒体を繰り出して排出口から排出するロール状媒体取扱装置において、前記排出口のロール状媒体の湾曲の内側と対向する側で、前記排出口から突出して形成されたガイド部材を設け、該ガイド部材は、排出口から排出されたロール状媒体の先端部の近傍まで形成され、排出口から排出されたロール状媒体の先端部の湾曲を阻止し、先端部の湾曲を阻止されたロール状媒体が前記ガイド部材上から抜き取られることを特徴とする。
【０００５】
【作用】
上述の解決手段によれば、排出口から排出されるロール状媒体はカール癖が付けられているが、ガイド部材により案内され先端部の湾曲を阻止されて排出される。
【０００６】
【発明の実施の形態】
以下に、本発明の実施の形態を図面を参照しながら詳細に説明する。本実施の形態ではロール状媒体を扱う装置として、例えば銀行等の金融機関で使用される自動取扱装置を例に挙げ説明する。なお、各図面に共通する要素には同一の符号を付す。
【０００７】
第１の実施の形態
図１は本発明に係る第１の実施の形態における自動取引装置の挿入排出口を示す要部拡大断面図、図２は第１の実施の形態における自動取引装置を示す概略構成図、図３は第１の実施の形態における自動取引装置の挿入排出口を示す拡大平面図である。
【０００８】
図２に示す自動取引装置１はカード処理装置２及びレシート取扱装置３で構成される。カード処理装置２は、顧客が挿入したキャッシュカード３０（以下、カード３０と記す）に設けられた磁気ストライプ３０ａ（図３参照）の情報の読取り／書込みを行っており、自動取引装置１に設けた後に詳述する挿入排出部４０から挿入されたカード３０をカード処理装置２に取り込む又はカード処理装置２から挿入排出部４０へ排出する一対の搬送ローラ１０、搬送路２９、挿入されるカード３０を検知する検知センサ７、及び搬送路２９の終端に設けたカード取込部９を有している。カード取込部９には、取引終了後、顧客が取り忘れたカード３０が取り込まれて収容される。
【０００９】
レシート取扱装置３は、ロール状のレシート５を収納する収納部６（６ａ、６ｂ）を備えており、収納部６ｂは補充用のレシート５を収納する。収納部６ａのレシート５が全て繰り出されて無くなると、収納部６ｂのレシート５が繰り出され、レシート切れによる自動取引装置１のダウンを減少する。レシート取扱装置３は、収納部６から挿入排出部４０までを接続する搬送路８ａ、及び搬送路８ａから分岐する搬送路８ｂを有しており、搬送路８ａ、８ｂに沿って、レシート５を搬送する複数のフィードローラ対１１、１２、レシート５を搬送方向に案内する図１に示す搬送ガイド８ｃ、レシート５の搬送を監視する検知センサ１７〜２１、レシート５を一取引分の長さに切断するカッタ部１３、切断したレシート５に取引内容を印刷する印刷部１４、レシート５の搬送経路を切り替えるブレード２５、及び搬送路８ｂの終端に設けたレシート取込部２７を有している。
【００１０】
フィードローラ対１１、１２の搬送路８ａ、８ｂ上の設置間隔は、レシート５の一取引分の長さ以下に設定してあり、収納部６から繰り出されるレシート５は、レシート５が巻回される芯５ａと対向する内側面が搬送路８ｂと対向して搬送される。ブレード２５は、挿入排出口４０まで搬送されたレシート５を顧客が取り忘れた場合、又は障害発生でエラーコード等の印刷が認識された場合、矢印Ａ方向へ切り替えられ、これによりレシート５は搬送路８ａから搬送路８ｂへ搬送される。レシート取込部２７には、取引終了後、顧客が取り忘れたレシート５が取り込まれて収容される。
【００１１】
自動取引装置１に設けた挿入排出部４０は、カード３０が挿入／排出されるカード挿入排出口４０ａ、及び一取引の長さのレシート５が排出されるレシート排出口４０ｂが形成されており、レシート５は取引終了後、挿入排出部４０からカード３０と共に排出される。また、挿入排出部４０のレシート排出口４０ｂから排出されたレシート５の内側面と対向する位置には、レシートガイド４０ｃが形成してある。レシートガイド４０ｃのレシート５と対向する面は傾斜しており、この傾斜によりレシート５をカード３０へ接近させる方向へ案内する。さらにレシートガイド４０ｃには、先端側の中央部分に図３に示す指逃げ部４０ｄが形成されており、従って、共に排出されたカード３０及びレシート５は指逃げ部４０ｄの形成位置に置いては間に何も介さずに対向する。
【００１２】
また、自動取引装置１には装置全体の制御を行う制御部２８（図２参照）が設けられ、上述の検知センサ７、１７〜２１の検出信号は制御部２８に入力される。制御部２８は検知センサ７、１７〜２１の検出信号を検知し搬送異常等を検出する。
【００１３】
次に、第１の実施の形態の自動取引装置１の取引動作を同じく図１〜図３を用いて説明する。
【００１４】
顧客がカード３０をカード挿入排出口４０ａから挿入すると、カード３０は搬送ローラ１０によりカード処理装置２に取り込まれ、磁気ストライプ３０ａの情報が読み取られる。この後、図示せぬ操作部から顧客が所望の取引情報を入力して、自動取引装置１は入金取引や出金取引等の処理を行う。レシート取扱装置３では、フィードローラ対１１によりレシート５を収納部６から繰り出し印刷部１４に搬送しており、印刷部１４では自動取引装置１の処理動作に従ってレシート５に取引内容を印刷する。また、レシート５はカッタ部１３によりカットされ単票状となり、取引内容の印刷が終了すると、レシート排出口４０ｂから排出される。このときカード３０も、磁気ストライプ３０ａの内容が更新されて、カード挿入排出口４０ａから排出される。
【００１５】
レシート５は、収納部６にロール状に収納されているのでカール癖が付けられており、従って、レシート排出口４０ｂから排出される際に図１に示す矢印Ｂ方向に湾曲しようとする。しかしながら、レシート５の湾曲の内側と対向する側にレシートガイド４０ｃが形成されているので湾曲を阻止され、レシート５の先頭部はレシートガイド４０ｃにより案内されて、カード３０に近接或いは当接した状態で排出される。
【００１６】
第１の実施の形態では、挿入排出部４０にレシートガイド４０ｃを設けたことにより、レシート５にカール癖が付けられていても、レシート排出口４０ｂから排出されたレシート５の先端部はレシートガイド４０ｃに案内されて湾曲を阻止されて排出される。従って、顧客がレシート５を挿入排出部４０から抜き取る際、抜き取り易くなる。
【００１７】
第１の実施の形態では、レシートガイド４０ｃに指逃げ部４０ｄが形成されていることにより、顧客によるカード挿入排出口４０ａでのカード３０の挿入／抜取りをスムーズに行える。また、レシートガイド４０ｃがカード３０に接近する方向に傾斜され、且つ指逃げ部４０ｄが形成されていることにより、カード３０及びレシート５の両方を挿入排出部４０から同時に抜き取り易くなる。
【００１８】
第２の実施の形態
第２の実施の形態ではレシートガイドは自動取引装置に収納可能に設けられている。以下図２、図４、図５、及び図６を用いて第２の実施の形態を説明する。図４は第２の実施の形態における自動取引装置の挿入排出口を示す一部拡大断面図、図５は第２の実施の形態における自動取引装置の挿入排出口を示す拡大平面図、図６は第２の実施の形態における制御ブロック図である。
【００１９】
挿入排出部４００は、第１の実施の形態の挿入排出部４０の代りに自動取引装置１に設けられる。この挿入排出部４００は、カード３０が挿入／排出されるカード挿入排出口４００ａ、及び一取引の長さのレシートが排出されるレシート排出口４００ｂが形成されており、レシート５は取引終了後、挿入排出部４００からカード３０と共に排出される。また、挿入排出部４００のレシート排出口４００ｂ側には図４に示すレシートガイド機構４００ｃが設けてある。レシートガイド機構４００ｃはレシートガイド４００ｃａ、自動取引装置１の図示せぬフレームに回転自在に設けられたギア４００ｃｂ、及びギア４００ｃｂに駆動力を伝達する図６に示すモータ４０１を有している。
【００２０】
レシートガイド４００ｃａは、挿入排出部４００に形成した図４に示す傾斜した孔４０３に挿入されており、自動取引装置１に形成した図示せぬ支持部材により孔４０３に沿って矢印Ｅ、Ｆ方向に移動自在に保持されている。また、レシートガイド４００ｃａにはギア４００ｃｂと噛み合うラック部４００ｃｄが形成されている。従って、ギア４００ｃｂを矢印Ｃ、Ｄ方向に回転すると、モータ４０１の駆動力がギア４００ｃｂを介してラック部４００ｃｄに伝達され、レシートガイド４００ｃａは矢印Ｅ、Ｆ方向に移動する。さらにレシートガイド４００ｃには、第１の実施の形態と同様の、先端側の中央部分に図５に示す指逃げ部４００ｄが形成されている。
【００２１】
ここで、第２の実施の形態の制御系について図６に基づき説明する。
【００２２】
制御部２８には検知センサ１９及びドライブ回路４０２が接続され、ドライブ回路４０２にはモータ４０１が接続されている。取引動作中、レシート５の先頭部が検知センサ１９を通過し検知センサ１９の出力が変化すると、或いはレシート５が挿入排出部４００のレシート排出部４００ｂから排出された後顧客によりレシート５が抜き取られ検知センサ１９の出力が変化すると、制御部２８はドライブ回路４０２に制御信号を出力する。ドライブ回路４０２は制御信号に従って、モータ４０１を所定時間駆動する。即ち、レシート５の先頭部が検知センサ１９を通過すると制御部２８はギア４００ｃｂを矢印Ｄ方向に回転してレシートガイド４００ｃａを矢印Ｆ方向へ移動させて挿入排出部４００から突出させ、顧客によりレシート５が抜き取られるとギア４００ｃｂを矢印Ｃ方向に回転してレシートガイド４００ｃａを矢印Ｅ方向に戻し挿入排出部４０内に収納する。
【００２３】
その他の構造は第１の実施の形態と同様であるので説明は省略する。
【００２４】
次に、第２の実施の形態の自動取引装置１の取引動作を同じく図２、図４〜図６を用いて説明する。なお、顧客がカード３０を挿入排出部４００に挿入してから、レシート５への取引内容の印刷が終了するまでの動作は第１の実施の形態と同様であるので説明は省略する。
【００２５】
単票状となったレシート５の先頭が検知センサ１９により検知されると制御部２８は検知センサ１９からの検知信号を入力して、ドライブ回路４０２に制御信号を出力する。これによりドライブ回路４０２は制御信号に従ってモータ４０１を所定時間駆動する。モータ４０１の駆動によりギア４００ｃｂは矢印Ｄ方向に所定量回転し、レシートガイド４００ｃａは、図４において２点鎖線で示す位置まで矢印Ｆ方向へ移動する。この後、レシート５はレシート排出口４００ｂから排出される。このときカード３０も、磁気ストライプ３０ａの内容が更新されて、カード挿入排出口４００ａから排出される。
【００２６】
レシート５はカール癖が付けられているので、レシート排出口４００ｂから排出される際に矢印Ｂ方向に湾曲しようとする。しかしながら、レシート５の湾曲の内側と対向する側にレシートガイド４００ｃａが移動しているので湾曲を阻止され、レシート５はレシートガイド４００ｃａにより案内されて、カード３０に近接或いは当接した状態で排出される。このとき、挿入排出部４００から共に排出されたカード３０及びレシート５は、指逃げ部４００ｄにより、間に何も介さずに対向する。
【００２７】
この後、顧客によりカード３０及びレシート５が挿入排出部４００から抜き取られると、検知センサ７、１９の出力が変化し、これにより制御部２８はカード３０及びレシート５が抜き取られたことを検出し、ドライブ回路４０２に制御信号を出力する。ドライブ回路４０２は制御信号に従ってモータ４０１を逆方向に所定時間駆動する。モータ４０１の駆動によりギア４００ｃｂは矢印Ｃ方向に所定量回転し、レシートガイド４００ｃａは矢印Ｅ方向へ移動し、レシートガイド４００ｃａの矢印Ｆ方向の先端部は挿入排出部４００内に収納される。
【００２８】
第２の実施の形態では、レシート排出口４００ｂから排出されたレシート５の先端部を案内するレシートガイド４００ｃａを挿入排出部４００に収納可能にすることにより、レシート５の排出時にレシートガイド４００ｃａを挿入排出部４００から突出させることができる。従って例えば、取引動作を行っていないとき、突出したレシートガイドに接触してレシートガイドを壊してしまうということを防止できる。
【００２９】
第２の実施の形態では、レシートガイド機構４００ｃのギア４００ｃｂを駆動するモータ４０１は、搬送ローラ１０やフィードローラ対１１、１２を駆動するモータとは別の駆動源となっているが、例えばクラッチ等を用いることにより一つのモータで各ローラ１０、１１、１２及びギア４００ｃｂに駆動力を伝達するようにしてもよい。
【００３０】
第２の実施の形態では、レシートガイド４００ｃａにラック部４００ｃｄを形成し、このラック部４００ｃｄと噛み合うギア４００ｃｂを回転させることにより、レシートガイド４００ｃａを挿入排出部４００に収納可能としているが、ギア４００ｃｂを用いる代りに、例えば電磁ソレノイド及びリンク等を用い電磁ソレノイドを励磁／消磁してレシートガイド４００ｃａを挿入排出部に収納可能としてもよい。
【００３１】
【発明の効果】
以上詳細に説明したように、本発明は、排出口から排出されるロール状媒体を案内するガイド部材を、排出口のロール状媒体の湾曲の内側と対向する側で、排出口から突出して設け、このガイド部材により、排出されるロール状媒体の先端部の湾曲を阻止するようにしたので、ロール状媒体を装置から抜き取る際に取りやすくなる効果が得られる。
【図面の簡単な説明】
【図１】本発明に係る第１の実施の形態の自動取引装置の挿入排出口を示す要部拡大断面図である。
【図２】第１の実施の形態の自動取引装置を示す概略構成図である。
【図３】第１の実施の形態の挿入排出口を示す拡大平面図である。
【図４】第２の実施の形態の挿入排出口を示す一部拡大断面図である。
【図５】第２の実施の形態の挿入排出口を示す拡大平面図である。
【図６】第２の実施の形態の制御ブロック図である。
【符号の説明】
１  自動取引装置
３  レシート取扱装置
５  レシート
１９  検知センサ
２８  制御部
４０、４００  挿入排出部
４０ｃ、４００ｃａ  レシートガイド
４００ｃ  レシートガイド機構
【図１】
0003616436.tif 000002
【図２】
0003616436.tif 000003
【図３】
0003616436.tif 000004
【図４】
0003616436.tif 000005
【図５】
0003616436.tif 000006
【図６】
0003616436.tif 000007